(57)【要約】【課題】電気部品ユニットが損傷しないような収容姿勢でもって、外箱内の区画された収容室へ収容保持できるようにすること、及び収容室から電気部品ユニットを容易に取り出すことができる収容状態を確保できる梱包装置を提供する。【解決手段】外箱内を複数の収容室に区画する主仕切り体は、底壁とこの底壁の左右側に二重壁の左右立壁が段ボールの折り曲げにて一体形成され、左右立壁間を前後方向に複数の収容室に区画するよう左右立壁に亘る区画壁を備え、左右立壁の二重壁の内側壁には、収容室ごとに電気部品ユニットの左右端部が上方から挿入される電気部品ユニット支持スリットを形成し、電気部品ユニットの左右端部が当接または近接する位置に、左右立壁の上部から電気部品ユニット支持スリットへ臨むフラップ（舌片）を形成したこと。【選択図】図３
2013018531.tif 000002
【特許請求の範囲】
【請求項１】
所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、この底壁の左右側に前記外箱の左右内側面に沿う二重壁構成の左右立壁とが段ボールの折り曲げにて一体形成され、且つ前記左右立壁に亘る区画壁にて前記左右立壁間が前後方向に複数の収容室に区画形成され、前記二重壁構成の左右立壁の内側壁には、前記収容室ごとに前記電気部品ユニットが立った収容状態となるように前記電気部品ユニットの左右端部が上方から挿入される電気部品ユニット支持スリットが形成され、前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【請求項２】
所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、この底壁の左右側に前記外箱の左右内側面に沿う二重壁構成の左右立壁とが段ボールの折り曲げにて一体に形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【請求項３】
所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、前記外箱の左右内側面に沿うよう前記底壁の左右側に位置する二重壁構成の左右立壁と、前記底壁の前後側において前記二重壁構成の左右立壁の内側壁に左右両端部が組み合わされる前後立壁とが段ボールの折り曲げにて一体形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【請求項４】
所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、この底壁の左右側に前記外箱の左右内側面に沿う二重壁構成の左右立壁とが段ボールの折り曲げにて一体形成され、且つ前記左右立壁に亘る区画壁にて前記左右立壁間が前後方向に複数の収容室に区画形成され、前記二重壁構成の左右立壁の内側壁には、前記収容室ごとに前記電気部品ユニットが立った収容状態となるように前記電気部品ユニットの左右端部が上方から挿入される電気部品ユニット支持スリットが形成され、前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【請求項５】
所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、この底壁の左右側に前記外箱の左右内側面に沿う二重壁構成の左右立壁とが段ボールの折り曲げにて一体に形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【請求項６】
所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、前記外箱の左右内側面に沿うよう前記底壁の左右側に位置する二重壁構成の左右立壁と、前記底壁の前後側において前記二重壁構成の左右立壁の内側壁に左右両端部が組み合わされる前後立壁とが段ボールの折り曲げにて一体形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【請求項７】
前記電気部品ユニット支持スリットは、前記収容室ごとに二つの前記電気部品ユニットが重ね合わされた並列状態でその左右端部が上方から挿入される幅を有すると共に、前記フラップ（舌片）は、前記重ね合わされた並列状態の電気部品ユニットの左右端部が当接または近接する位置に形成されたことを特徴とする請求項１乃至３のいずれかに記載の電気部品ユニット包装装置用主仕切り体。
【請求項８】
前記電気部品ユニット支持スリットは、前記収容室ごとに二つの前記電気部品ユニットが重ね合わされた並列状態でその左右端部が上方から挿入される幅を有すると共に、前記フラップ（舌片）は、前記重ね合わされた並列状態の電気部品ユニットの左右端部が当接または近接する位置に形成されたことを特徴とする請求項４乃至６のいずれかに記載の電気部品ユニットの包装装置。
【請求項９】
前記電気部品ユニットは、電気回路部品が取り付けられた横長矩形状の平板状のプリント配線基板が横長矩形状の外装ケースに取り付けられた形態であることを特徴とする請求項１、２、３及び７のいずれかに記載の電気部品ユニット包装装置用主仕切り体。
【請求項１０】
前記電気部品ユニットは、電気回路部品が取り付けられた横長矩形状の平板状のプリント配線基板が横長矩形状の外装ケースに取り付けられた形態であることを特徴とする請求項４、５、６及び８のいずれかに記載の電気部品ユニットの包装装置。
【請求項１１】
前記電気部品ユニットは、電気部品が取り付けられたプリント基板が左右端部に取り付けフランジを備えた外装ケースに保持されて可撓性の透明な帯電防止用の保護袋に収容された形態であり、前記電気部品ユニット支持スリットは前記保護袋の左右端部が前記取り付けフランジと共に上方から挿入されるように前記左右立壁の二重壁の上面に開口したことを特徴とする請求項９に記載の電気部品ユニット包装装置用主仕切り体。
【請求項１２】
前記電気部品ユニットは、電気部品が取り付けられたプリント基板が左右端部に取り付けフランジを備えた外装ケースに保持されて可撓性の透明な帯電防止用の保護袋に収容された形態であり、前記電気部品ユニット支持スリットは前記保護袋の左右端部が前記取り付けフランジと共に上方から挿入されるように前記左右立壁の二重壁の上面に開口したことを特徴とする請求項１０に記載の電気部品ユニットの包装装置。
【発明の詳細な説明】
【技術分野】
【０００１】
本発明は、電気回路部品が取り付けられたプリント配線基板を所定のケースに収容した電気部品ユニットの包装装置に関する。
【背景技術】
【０００２】
遊技制御に必要な電気部品の実装された回路基板が、内部を透視可能な制御筐体に格納された構成の遊技制御装置１２１と、制御取り付け構造体１２２とからなる遊技制御ユニット１１４が、構造基盤１３５と一体に、遊技制御梱包装置に複数に区画形成された収容室１２へ入れられた状態の梱包装置が開示されている（特許文献１参照）。
【０００３】
この特許文献１では、遊技制御梱包装置は外箱１と仕切構造体１１とからなり、遊技制御ユニット１１４と構造基盤１３５とが収容室１２に収容され、仕切構造体１１の一対の支持片４７、５０の折り曲げによって、遊技制御装置１２１を押すことにより、遊技制御ユニット１１４が収容室１２に移動しないように固定されるようになっている。
【先行技術文献】
【特許文献】
【０００４】
【特許文献１】特開２００７−００１５９２号公報
【発明の概要】
【発明が解決しようとする課題】
【０００５】
特許文献１のものは、上記のように、遊技制御梱包装置の区画された収容室１２に収容されるものは、遊技制御ユニット１１４と構造基盤１３５のセットであり、これらを収容室１２に収容した状態で、遊技制御梱包装置の仕切構造体１１の一対の支持片４７、５０を折り曲げにより、遊技制御ユニット１１４が収容室１２に移動しないように固定されるため、遊技制御ユニット１１４を収容室１２に収容するだけでは、安定収容状態とはならず、仕切構造体１１の一対の支持片４７、５０の折り曲げ作業を行なわなければならない、面倒な作業を伴う。
【０００６】
本発明は、このような点に鑑み、電気回路部品が取り付けられたプリント配線基板を所定のケースに取り付けた電気部品ユニットを包装する包装装置において、特許文献１のような煩雑な構成及び作業を伴うことなく、対象とする電気部品ユニットを段ボールで構成した包装箱の区画された収容室へ安定に収容できると共に、開梱時に電気部品ユニットの取出しが容易に行なえる包装装置及びその中に電気部品ユニットを収容支持する主仕切り体を提供するものである。
【０００７】
また、本発明は、電気部品ユニットが、プリント配線基板を取り付けた外装ケースが可撓性の透明な帯電防止用の保護袋に収容された形態である場合にも、上記同様に、段ボールで構成した包装箱の区画された収容室へ安定に収容できると共に、開梱時に電気部品ユニットの取出しが容易に行なえる包装装置及びその中に電気部品ユニットを収容支持する主仕切り体を提供するものである。
【０００８】
本発明に係る電気部品ユニットの一つとして、電気機器のコントロール基板があり、その一つとして電子レンジのコントロール基板等がある。この電気機器のコントロール基板は、複数の電気部品がプリント配線基板に取り付けられ、このプリント配線基板が所定の外装ケースに取り付けられて電気部品ユニットを構成している。本発明は、この電気部品ユニットの包装に適する包装装置及びその中に電気部品ユニットを収容支持する主仕切り体を提供するものである。
【課題を解決するための手段】
【０００９】
第１発明は、所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、この底壁の左右側に前記外箱の左右内側面に沿う二重壁構成の左右立壁とが段ボールの折り曲げにて一体形成され、且つ前記左右立壁に亘る区画壁にて前記左右立壁間が前後方向に複数の収容室に区画形成され、前記二重壁構成の左右立壁の内側壁には、前記収容室ごとに前記電気部品ユニットが立った収容状態となるように前記電気部品ユニットの左右端部が上方から挿入される電気部品ユニット支持スリットが形成され、前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【００１０】
第２発明は、所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、この底壁の左右側に前記外箱の左右内側面に沿う二重壁構成の左右立壁とが段ボールの折り曲げにて一体に形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【００１１】
第３発明は、所定厚さで以って横長矩形状の板状形態をなす電気部品ユニットを段ボール製の立体形状の外箱内の収容室に収容支持するために、前記外箱内を複数の前記収容室に区画する主仕切り体であって、
前記主仕切り体は、平坦状の底壁と、前記外箱の左右内側面に沿うよう前記底壁の左右側に位置する二重壁構成の左右立壁と、前記底壁の前後側において前記二重壁構成の左右立壁の内側壁に左右両端部が組み合わされる前後立壁とが段ボールの折り曲げにて一体形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニット包装装置用主仕切り体。
【００１２】
第４発明は、所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、この底壁の左右側に前記外箱の左右内側面に沿う二重壁構成の左右立壁とが段ボールの折り曲げにて一体形成され、且つ前記左右立壁に亘る区画壁にて前記左右立壁間が前後方向に複数の収容室に区画形成され、前記二重壁構成の左右立壁の内側壁には、前記収容室ごとに前記電気部品ユニットが立った収容状態となるように前記電気部品ユニットの左右端部が上方から挿入される電気部品ユニット支持スリットが形成され、前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【００１３】
第５発明は、所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、この底壁の左右側に前記外箱の左右内側面に沿う二重壁構成の左右立壁とが段ボールの折り曲げにて一体に形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【００１４】
第６発明は、所定厚さで以って横長矩形状の板状形態をなす電気部品ユニットと、複数の区画された収容室が形成された段ボール製の包装箱を備え、前記包装箱は、立体形状の外箱と、前記外箱内を複数の収容室に区画するよう前記外箱内に収容される主仕切り体を備え、
前記主仕切り体は、平坦状の底壁と、前記外箱の左右内側面に沿うよう前記底壁の左右側に位置する二重壁構成の左右立壁と、前記底壁の前後側において前記二重壁構成の左右立壁の内側壁に左右両端部が組み合わされる前後立壁とが段ボールの折り曲げにて一体形成され、左右両端部が前後方向に所定間隔で前記左右立壁に支持される区画壁にて前記左右立壁間が前後方向に複数の収容室に区画され、
前記二重壁構成の左右立壁の内側壁には、前記区画壁の左右両端部が上方から挿入される区画壁支持スリットと、前記収容室ごとに前記電気部品ユニットが立った収容状態となるように前記電気部品ユニットの左右端部が上方から挿入される電気部品ユニット支持スリットとが形成され、
前記電気部品ユニットの左右端部が当接または近接する位置に、前記左右立壁の上部から前記電気部品ユニット支持スリットへ臨むフラップ（舌片）を形成したことを特徴とする電気部品ユニットの包装装置。
【００１５】
第７発明は、第１発明乃至第６発明のいずれかにおいて、
前記電気部品ユニット支持スリットは、前記収容室ごとに前記電気部品ユニットが立った収容状態となるように二つの前記電気部品ユニットが重ね合わされた並列状態でその左右端部が上方から挿入される幅を有すると共に、前記フラップ（舌片）は、前記重ね合わされた並列状態の電気部品ユニットの左右端部が当接または近接する位置に形成されたことを特徴とする。
【００１６】
第８発明は、第１発明乃至第７発明のいずれかにおいて、前記電気部品ユニットは、電気回路部品が取り付けられた横長矩形状の平板状のプリント配線基板（その一つが電子レンジのコントロール基板等である）が横長矩形状の外装ケースに取り付けられた形態であることを特徴とする。
【００１７】
第９発明は、第８発明において、前記電気部品ユニットは、前記プリント配線基板を取り付けた外装ケースが可撓性の透明な帯電防止用の保護袋に収容された形態であり、前記電気部品ユニット支持スリットは、前記保護袋の左右端部が前記外装ケースの左右端部と共に上方から挿入されるように前記左右立壁の二重壁の上面に開口したことを特徴とする。
【発明の効果】
【００１８】
第１発明または第４発明は、二重壁構成の左右立壁の内側壁に、電気部品ユニットが立った収容状態となるように電気部品ユニットの左右端部が上方から挿入される電気部品ユニット支持スリットが形成された構成において、フラップ（舌片）は、左右立壁の上部から電気部品ユニット支持スリットへ臨むため、このスリットとフラップ（舌片）は、左右立壁の外側に露出せず、主仕切り体を外箱内に収容する際に、電気部品ユニットの左右端部が邪魔になることがない。また、フラップ（舌片）は、左右立壁の上部から電気部品ユニット支持スリットへ臨むため、電気部品ユニットをこのスリットへ挿入するときに邪魔にならず、挿入がスムースとなる。更に、電気部品ユニットをスリットへ挿入した状態で、電気部品ユニットの左右端部がこのフラップ（舌片）によって左右方向の移動が抑制され、開梱にて電気部品ユニットを取り出す際にも、電気部品ユニットの左右端部がこのフラップ（舌片）をガイドとして上方へ引き出せるものとなる。このため、フラップ（舌片）が存在しない場合は、運搬中において電気部品ユニットが左右方向へ移動することにより、電気部品ユニットの左右端部がスリットの奥深く進入して左右立壁の上部に下側へ潜り込み、電気部品ユニットを引き上げる時、電気部品ユニットの左右端部が左右立壁の上部に当接して引き出しが阻止される事態を招くが、本発明ではそのようなこともなく、電気部品ユニットを取り出し易い梱包となる。
【００１９】
第２発明または第５発明は、複数の収容室に区画する区画壁を支持する区画壁支持スリットが、左右立壁の二重壁の内側壁に形成されるため、区画壁の左右端部が左右立壁の外側に露出せず、主仕切り体を外箱内に収容する際に、区画壁の左右端部が邪魔になることがなく、第１発明と同様の効果を奏することできる。
【００２０】
第３発明または第６発明は、段ボールの折り曲げにて、底壁と、底壁の左右両側に二重壁構成の左右立壁と、底壁の前後側に前後立壁が一体形成され、二重壁構成の左右立壁の内側壁に前後立壁の左右両端部が組み合わされることにより、左右立壁と前後立壁が一体化されて強固な主仕切り体となり、主仕切り体を外箱内に収容する際の主仕切り体の形状保持が得られるものとなり、第２発明と同様の効果を奏することできる。
【００２１】
第７発明は、第１発明乃至第６発明の効果に加えて、二つの電気部品ユニットが重ね合わされた並列状態での収容ができることにより、一個ずつの収容に比して安定した収容となると共に、電気部品ユニット支持スリットの幅も広くなり、それに伴ってフラップ（舌片）の幅も広くできるため、フラップ（舌片）による電気部品ユニットの取り出しのし易さと左右移動抑制の効果が良好に発揮されるものとなる。
【００２２】
第８発明は、第１発明乃至第７発明の効果に加えて、電気部品ユニットは、電気回路部品が取り付けられた横長矩形状の平板状のプリント配線基板（その一つが電子レンジのコントロール基板等である）が横長矩形状の外装ケースに取り付けられた形態であるため、プリント配線基板の安定保持状態での梱包が達成でき、主仕切り体への収容及び取り出しが安定する。
【００２３】
第９発明は、第８の効果に加えて、保護袋に収容された形態の電気部品ユニットの左右端部は、保護袋と共に左右立壁の二重壁の上面に開口した電気部品ユニット支持スリットから挿入できるため、保護袋に収容された形態の電気部品ユニットの主仕切り体への収容がし易く、包装作業が容易となる。また、保護袋は、帯電防止用のポリエチレン製袋のように帯電防止作用であるため、主仕切り体への収容時に発生することが憂慮される静電気によって内部の電気回路素子が悪影響を受けないようにすることができる。
【図面の簡単な説明】
【００２４】
【図１】本発明に係る保護袋に入った状態の電気部品ユニットの正面側斜視図である。
【図２】本発明に係る保護袋に入った状態の電気部品ユニット裏面側斜視図である。
【図３】本発明に係る包装装置の分解斜視図である。
【図４】本発明に係る梱包装置の主仕切り体の基体を形成するための平板状の段ボール板の平面図である。
【図５】本発明に係る梱包装置の主仕切り体の基体の上面斜視図である。
【図６】図５のＰ−Ｐ断面図である。
【図７】図５のＱ−Ｑ断面図である。
【図８】（イ）（ロ）（ハ）は本発明に係る梱包装置の主仕切り体の基体に区画壁を組み合わせる説明図である。
【図９】本発明に係る梱包装置の主仕切り体へ収容する電気部品ユニットの関係を示す説明斜視図である。
【図１０】本発明に係る包装装置の組み立て順序の説明図である。
【発明を実施するための形態】
【００２５】
本発明に係る電気部品ユニットの包装装置は、所定厚さで以って横長矩形状の板状形態をなす電気部品ユニットと、複数の区画された収容室が形成された段ボール製の包装箱を備え、前記包装箱は、上面開口を塞ぐ開閉蓋付きの立体形状の外箱と、前記外箱内を複数の収容室に区画するよう前記外箱内に収容される主仕切り体を備え、
前記主仕切り体は、平坦状の底壁と、この底壁の左右側に前記外箱の左右内側面に沿う二重壁構成の左右立壁とが段ボールの折り曲げにて一体形成され、前記左右立壁間を前後方向に複数の収容室に区画するように前記左右立壁に亘る区画壁を備え、前記二重壁構成の左右立壁の内側壁には、前記収容室ごとに前記電気部品ユニットが収容状態となるように前記電気部品ユニットの左右端部が上方から挿入される電気部品ユニット支持スリットが形成され、前記電気部品ユニットの左右端部が当接または近接する位置に、前記左右立壁の上部から前記電気部品ユニット支持スリットへ臨むフラップ（舌片）を形成したものであり、以下に本発明の実施例を記載する。
【実施例１】
【００２６】
本発明に係る電気部品ユニット１は、所定厚さで以って横長矩形状の板状形態をなすものであり、所要の電気回路部品が取り付けられた横長矩形状の平板状のプリント配線基板２が、所定厚さの横長矩形状の外装ケース５に保持された形態のものと、このプリント配線基板２が外装ケース５に保持された状態であって、輸送時の保護等のために可撓性の保護袋７に収容された形態とがある。
【００２７】
プリント配線基板２の一つとして、電気機器のコントロール基板があり、その一つとして電子レンジのコントロール基板がある。この電気機器のコントロール基板は、複数の電気回路部品がプリント配線基板２に取り付けられた構成である。その中で、電子レンジのコントロール基板は、マグネトロンへの通電や、調理物を載せるターンテーブルの駆動モータへの通電等の制御をするために、複数の電気回路部品がプリント配線基板２に取り付けられた構成であり、このプリント配線基板２が所定の外装ケース５に収容されてコントロール基板ユニット、即ち、本発明に係る電気部品ユニット１を構成する。本発明に係る電気部品ユニット１は、電子レンジのコントロール基板ユニットに限らず、その他の種々の電気機器のコントロール基板ユニットであってもよいが、以下に示す実施形態では、プリント配線基板２は、電子レンジのコントロール基板の場合を示している。
【００２８】
図１及び図２に示すように、本発明に係る電気部品ユニット１の基本形態は、所定厚さで以って横長矩形状の板状形態をなすように、横長矩形状の平板状のプリント配線基板２が横長矩形状の外装ケース５に収容状態に取り付けられた形態であり、これが可撓性の保護袋７に収容された形態を示している。図１及び図２には、本発明に係る電気部品ユニット１の一つの実施形態として、電子レンジのコントロール基板ユニット１を示しており、電子レンジのプリント配線基板２は、左右方向に長い横長矩形状をなし、その表側に電気部品として、発光ダイオードで８字状に形成した４桁の発光表示部３やその他の電気回路部品（図示せず）が取り付けられ、プリント配線基板２の裏側には、電子レンジの制御動作をするための電解コンデンサＣ０、トランスＴＲ、リレー４Ａ及び４Ｂ、更には他の回路と接続するためのコネクタＣＮ等が取り付けられている。
【００２９】
そして、外装ケース５は、左右方向に長い横長矩形状の透明性の合成樹脂製であり、プリント配線基板２の平面積よりも大きな平面積（図では表側から視た面積）を有する大きさであり、表側壁５Ａの裏側の上下部には、プリント配線基板２の収容領域を画成する上下フランジ５Ｂ、５Ｃを形成し、表側壁５Ａに形成した窓５Ｄに発光表示部３が臨み、表側壁５Ａの裏側にプリント配線基板２を取り囲むように配置した複数の弾性保持片５Ｒを備え、この弾性保持片５Ｒによってプリント配線基板２が、表側壁５Ａの裏側に表側壁５Ａに略並行に保持されている。電気部品ユニット１を電子レンジなどの所要の電気機器へ取り付けるために、外装ケース５は、左右両端部に取り付けフランジ６を形成している。実施例の外装ケース５は、電子レンジなどの所要の場所へ取り付けるために、取り付けフランジ６の上端部が上フランジ５Ｂよりも若干上方へ突出する長さであり、取り付けフランジ６の下端部には下フランジ５Ｃよりも若干下方へ延出する係止片６Ａを形成しており、電気部品ユニット１を電子レンジの所定の場所へ組み込む関係から、係止片６Ａを電子レンジの所定の箇所へ係止した状態で、取り付けフランジ６の上部の孔６Ｂを通してネジにて所定の箇所へ固定する構成である。
【００３０】
本発明に係る電気部品ユニット１の一つとして、輸送時の保護のために横長の可撓性の保護袋７に収容された横長形態を構成する。このため、本発明に係る電気部品ユニット１は、保護袋７に収容されていない形態のものと、保護袋７に収容された形態のもの（以下、これを包装電気部品ユニット１Ａと称する）が存在する。本発明は、このいずれの形態についても、好ましい包装（梱包）ができるようにするものである。保護袋７は、内部の電気部品ユニット１の包装状態を目視できるようにするために、透明な可撓性の合成樹脂製袋で形成されており、帯電防止用のポリエチレン製袋で構成している。
【００３１】
以下に、上記コントロール基板２を含む本発明に係る電気部品ユニット１が、段ボール製の包装装置１０の複数の区画された収容室１１に収納される梱包（包装）について記載する。この場合、電気部品ユニット１は、保護袋７に収容されない状態のものでもよく、また電気部品ユニット１が保護袋７に収容された包装電気部品ユニット１Ａのいずれでもよい。更に、この電気部品ユニット１または包装電気部品ユニット１Ａは、前記収容室１１に１個ずつ収容される梱包（包装）でもよい。また、二つの電気部品ユニット１が、前記収容室１１に重ね合わせに収容される梱包（包装）、または、二つの包装電気部品ユニット１Ａが、前記収容室１１に重ね合わせに収容される梱包（包装）のいずれでもよい。
【００３２】
以下に記載する本発明に係る包装装置１０の実施態様では、電気部品ユニット１が保護袋７に収容された包装電気部品ユニット１Ａであり、二つの包装電気部品ユニット１Ａが、その表側（図１のように発光表示部３が見える前面側）が向き合うように重ね合わせた状態で、段ボール製の包装装置１０の中の区画された複数の収容室１１にそれぞれ収納される梱包装置を示している。
【００３３】
図３には包装装置１０の分解斜視図を示している。包装装置１０は、上面開口１２Ｐを塞ぐ前後左右の開閉蓋１０Ａ〜１０Ｄを一体に形成した立体形状（図３に示すものは直方体形状）の外箱１２と、外箱１２内に複数の収容室１１を形成するよう外箱１２内に収容される主仕切り体１３を備える。主仕切り体１３は、図４等に示すように、外箱１２の前後壁１２Ａ、１２Ｂの内側面に対向する前後立壁１３Ａ、１３Ｂと、外箱１２の左右側壁１２Ｃ、１２Ｄの内側面に沿う左右立壁１３Ｃ、１３Ｄと、外箱１２の平坦状の内底面１０Ｅに沿う平坦状の底壁１３Ｅが一体になるように、段ボール板１３Ｐの折り曲げにて形成され、前後立壁１３Ａ、１３Ｂ間において左右立壁１３Ｃ、１３Ｄに亘る区画壁１３Ｆを備え、この区画壁１３Ｆによって、左右立壁１３Ｃ、１３Ｄ間を前後方向に略同じ間隔で複数の収容室１１に区画する構成である。
【００３４】
以下、この主仕切り体１３の実施形態について記載する。
【００３５】
図４に示すように、所定形状の主仕切り体１３を形成するために一枚の平板状の段ボール板１３Ｐが用いられる。この段ボール板１３Ｐの前後側には、前後立壁１３Ａ、１３Ｂの形成部分を形成するために、左右方向に直線状の折り線Ｌ１が形成されている。また、この段ボール板１３Ｐの左右両側の左右立壁１３Ｃ、１３Ｄの形成部分は、左右両端部１３ＣＴ、１３ＤＴから所定寸法だけ内側に寄った位置には、左右両端部１３ＣＴ、１３ＤＴに並行に前後方向の折り線Ｌ２が形成され、この折り線Ｌ２の内側には、一対の並行な折り線Ｌ３、Ｌ４が折り線Ｌ２に並行に形成され、更に並行に内側には折り線Ｌ５が形成されている。
【００３６】
この折り線Ｌ５、Ｌ５間が底壁１３Ｅとなる部分である。そして、折り線Ｌ２とＬ４の間隔が折り線Ｌ３とＬ５の間隔に略等しく、折り線Ｌ３とＬ４間がそれぞれ左右立壁１３Ｃ、１３Ｄの上壁１３Ｃ３、１３Ｄ３を形成し、折り線Ｌ２とＬ４間がそれぞれ左右立壁１３Ｃ、１３Ｄの内側壁１３Ｃ２、１３Ｄ２を形成し、折り線Ｌ３とＬ５間がそれぞれ左右立壁１３Ｃ、１３Ｄの外側壁１３Ｃ１、１３Ｄ１を形成する。このように左立壁１３Ｃは、上壁１３Ｃ３で繋がった外側壁１３Ｃ１と内側壁１３Ｃ２の二重壁構成であり、また右立壁１３Ｄは、上壁１３Ｄ３で繋がった外側壁１３Ｄ１と内側壁１３Ｄ２の二重壁構成である。
【００３７】
左右立壁１３Ｃ、１３Ｄの下部を補強壁構成とするために、左右両端部１３ＣＴ、１３ＤＴから折り線Ｌ２の間には、折り線Ｌ２に並行に折り線Ｌ６、Ｌ７が形成されている。これによって、折り線Ｌ２とＬ６間がそれぞれ左右立壁１３Ｃ、１３Ｄの上壁１３Ｃ３、１３Ｄ３に対向する下壁１３Ｃ４、１３Ｄ４を形成し、折り線Ｌ６とＬ７間がそれぞれ下壁１３Ｃ４、１３Ｄ４と底壁１３Ｅの間に位置する補強底壁１３Ｃ５、１３Ｄ５を形成する。また、折り線Ｌ７と左右両端部１３ＣＴ、１３ＤＴとの間は、それぞれ補強底壁１３Ｃ５、１３Ｄ５の上側へ重なった状態で、左右両端部１３ＣＴ、１３ＤＴがそれぞれ左右立壁１３Ｃ、１３Ｄの内側壁１３Ｃ２、１３Ｄ２の内側面に当接する補強底壁１３Ｃ６、１３Ｄ６を形成する。この構成によって、後述のように左右立壁１３Ｃ、１３Ｄの下部が補強され、左右立壁１３Ｃ、１３Ｄ全体が安定した立ち壁状態を保持できるため、電気部品ユニット１または包装電気部品ユニット１Ａが、左右立壁１３Ｃ、１３Ｄによって保持された状態を安定に維持できるものとなる。
【００３８】
また、二重壁構成の左右立壁１３Ｃ、１３Ｄのそれぞれの内側壁１３Ｃ２、１３Ｄ２には、包装電気部品ユニット１Ａの左右端部が上方から挿入される電気部品ユニット支持スリット１３Ｑが、所定ピッチＨ１でもって前後方向に等間隔に形成されている。このピッチＨ１は、電気部品ユニット支持スリット１３Ｑが後述の収容室１１の前後の中央部に位置するように定められている。電気部品ユニット支持スリット１３Ｑは、後述のように、一つまたは二つの電気部品ユニット１または包装電気部品ユニット１Ａが、図３、図９等に示すように収容室１１へ上方から立った状態で挿入されるように、左右立壁１３Ｃ、１３Ｄのそれぞれの上壁１３Ｃ３、１３Ｄ３の中間部から内側部分（内側寄りの部分）と内側壁１３Ｃ２、１３Ｄ２に連続して縦方向に形成される。
【００３９】
この実施態様では、二つの包装電気部品ユニット１Ａが、その表側同士を重ね合わせにして収容される場合であるため、電気部品ユニット支持スリット１３Ｑの前後方向の幅Ｍは、重ね合わせた状態の二つの包装電気部品ユニット１Ａの取り付けフランジ６を含む外装ケース５の左右両端部の厚さと同等、またはその厚さよりも若干大きい幅である。
【００４０】
段ボール板１３Ｐは、図４に示すように、左右立壁１３Ｃ、１３Ｄの形成部分には、前後に位置する電気部品ユニット支持スリット１３Ｑ、１３Ｑの間の中央部に対応する位置に、後述のように区画壁１３Ｆを挿入支持する縦方向の区画壁支持スリット１６が、前記所定ピッチＨ１と同じピッチで前後方向に等間隔に形成されている。区画壁１３Ｆが上方から立った状態で挿入されるように、折り線Ｌ３から折り線Ｌ２とＬ４の中間まで延びたスリットに形成され、これによって、後述のように、区画壁支持スリット１６は、左右立壁１３Ｃ、１３Ｄのそれぞれの上壁１３Ｃ３、１３Ｄ３を横切って内側壁１３Ｃ２、１３Ｄ２に中間部に至る長さ縦方向に形成される。
【００４１】
また、前後立壁１３Ａ、１３Ｂの形成部分と左右立壁１３Ｃ、１３Ｄの形成部分の交差する４箇所には、折り線Ｌ１とＬ５の交差部から４５度の角度で切り込みＷ２が形成され、切り込みＷ２によって前後立壁１３Ａ、１３Ｂの形成部分と左右立壁１３Ｃ、１３Ｄの形成部分が切り離される。また、折り線Ｌ１とＬ５の交差部の４箇所には、前後立壁１３Ａ、１３Ｂの左右端部分に、折り線Ｌ５の延長方向またはその若干内側位置に折り線Ｌ８が形成されている。更に、前後立壁１３Ａ、１３Ｂの形成部分の左右端部と、左右立壁１３Ｃ、１３Ｄの形成部分の前後端部には、それぞれ嵌合し合うスリット１３Ｘ及び１３Ｙが形成されている。
【００４２】
この構成において、段ボール板１３Ｐは、以下に記載のように、各折り線での折り曲げによって、外箱１２の前後壁１２Ａ、１２Ｂの内側面に沿う前後立壁１３Ａ、１３Ｂと、外箱１２の左右側壁１２Ｃ、１２Ｄの内側面に沿う中空の左右立壁１３Ｃ、１３Ｄと、外箱１２の平坦状の内底面に沿う平坦状の底壁１３Ｅが一体になるように主仕切り体１３が形成される。
【００４３】
以下、主仕切り体１３の形成を具体的に説明する。図４において、折り線Ｌ７にて補強底壁１３Ｃ６を補強底壁１３Ｃ５の裏側（図４の紙面の裏側）へ位置するように外側へ折り曲げ、同様に折り線Ｌ７にて補強底壁１３Ｄ６を補強底壁１３Ｄ５の裏側（図４の紙面の裏側）へ位置するように外側へ折り曲げる。また、折り線Ｌ６にて補強底壁１３Ｃ５、１３Ｃ６が下壁１３Ｃ４及び内側壁１３Ｃ２の裏側（図４の紙面の裏側）へ位置するように外側へ折り曲げ、同様に折り線Ｌ６にて補強底壁１３Ｄ５、１３Ｄ６が下壁１３Ｄ４及び内側壁１３Ｄ２の下側（図４の紙面の裏側）へ位置するように外側へ折り曲げる。この状態で、左右両側を折り線Ｌ２、Ｌ３、Ｌ４、Ｌ５に沿って内側へ若干折り曲げた状態で、下壁１３Ｃ４が補強底壁１３Ｃ５の上に載る状態へ向けて折り線Ｌ２及びＬ６を更に深く折り曲げつつ、折り線Ｌ３、Ｌ４、Ｌ５で略直角となるように折り曲げる。このとき、左右両端部１３Ｔも折り線Ｌ８に沿って略直角に外側へ折り曲げると共に、折り線Ｌ１に沿って前後立壁１３Ａ、１３Ｂ部分を略直角へ向けて内側へ折り曲げる。これらの折り曲げに伴って、４隅の部分でスリット１３Ｘ及び１３Ｙを嵌合し、前後立壁１３Ａ、１３Ｂの左右両端部１３Ｔが左右立壁１３Ｃ、１３Ｄの内部中空部分ＰＰに進入し、外側壁１３Ｃ１、１３Ｄ１に沿う状態となる。
【００４４】
これによって、折り線Ｌ１、Ｌ１間、及び折り線Ｌ５、Ｌ５間に底壁１３Ｅが形成される。更に、折り線Ｌ１、Ｌ１の間隔を存して底壁１３Ｅの前後端部に直立した前後立壁１３Ａ、１３Ｂが形成されると共に、底壁１３Ｅの左右端部に所定間隔を存して直立した左右立壁１３Ｃ、１３Ｄが形成される。更に、補強底壁１３Ｃ５、１３Ｄ５が底壁１３Ｅの上に重なり、下壁１３Ｃ４及び１３Ｄ４はそれぞれ補強底壁１３Ｃ５、１３Ｄ５の上に重なった状態で、左右立壁１３Ｃ、１３Ｄの内部中空部分ＰＰの底壁となる。そして、４隅の部分でスリット１３Ｘ及び１３Ｙが嵌合することによって、左右立壁１３Ｃ、１３Ｄと前後立壁１３Ａ、１３Ｂとが組み合わされて一体化され、両者が立ち壁状態を安定的に保持する。更に、折り線Ｌ７にて補強底壁１３Ｃ６が補強底壁１３Ｃ５の上に重なるように折り曲げることにより、左端部１３ＣＴが左立壁１３Ｃの内側壁１３Ｃ２の内側面に当接し、右端部１３ＤＴが右立壁１３Ｄの内側壁１３Ｄ２の内側面に当接する。これによって、内側壁１３Ｃ２及び内側壁１３Ｄ２の安定保持がされる。
【００４５】
この状態で、左右立壁１３Ｃ、１３Ｄにそれぞれ形成された区画壁支持スリット１６が、一対一で向き合う状態となり、且つ、左右立壁１３Ｃ、１３Ｄにそれぞれ形成された電気部品ユニット支持スリット１３Ｑが、一対一で向き合う状態となる。
【００４６】
このような折り曲げによって、図５に示すように、左立壁１３Ｃは、内側壁１３Ｃ２と外側壁１３Ｃ１の間に、幅Ｔ１の空間ＰＰが形成された二重壁構成となり、同様に、右立壁１３Ｄは、内側壁１３Ｄ２と外側壁１３Ｄ１の間に、幅Ｔ１の空間ＰＰが形成された中空の二重壁構成となる。この状態で、前後立壁１３Ａ、１３Ｂの各左右両端部１３Ｔが、左右立壁１３Ｃ、１３Ｄの外側壁１３Ｃ１、１３Ｄ１の内側に沿う。また、前後立壁１３Ａ、１３Ｂの各左右両端部の折り線Ｌ８とスリット１３Ｘとの幅Ｍ３が、左右立壁１３Ｃ、１３Ｄの内部中空ＰＰの幅Ｔ１に略等しい幅を有するため、この幅Ｍ３の部分が、左右立壁１３Ｃ、１３Ｄの内部中空ＰＰ内に位置して、左右立壁１３Ｃ、１３Ｄの内部中空ＰＰの前後端部を塞ぐ閉塞部１３Ｈとなる。
【００４７】
そして、折り線Ｌ２、Ｌ６間の部分が、空間ＰＰの底部に位置して、それぞれ左右立壁１３Ｃ、１３Ｄの上壁１３Ｃ３、１３Ｄ３に対向する下壁１３Ｃ４、１３Ｄ４を形成し、折り線Ｌ６とＬ７間がそれぞれ下壁１３Ｃ４、１３Ｄ４と底壁１３Ｅの間に挟まれる補強底壁１３Ｃ５、１３Ｄ５を形成する。更に、左右端部１３ＣＴ、１３ＤＴが左右立壁１３Ｃ、１３Ｄの内側壁１３Ｃ２、１３Ｄ２の内側面に当接することによって、左右立壁１３Ｃ、１３Ｄの安定保持がされる。
【００４８】
上記において、電気部品ユニット支持スリット１３Ｑには、重ね合わせた状態の二つの包装電気部品ユニット１Ａの取り付けフランジ６を含む外装ケース５の左右両端部が当接または近接する位置に、左右立壁１３Ｃ、１３Ｄの上部から電気部品ユニット支持スリット１３Ｑへ臨むフラップ（または舌片という）１３Ｚを形成している。具体的には、左右立壁１３Ｃ、１３Ｄの上壁１３Ｃ３、１３Ｄ３の中間部から電気部品ユニット支持スリット１３Ｑの奥側部分へ垂下するように、上壁１３Ｃ３、１３Ｄ３に連続してフラップ（または舌片）１３Ｚが形成されている。
【００４９】
フラップ（または舌片）１３Ｚは、上記のように各折り線での段ボール板１３Ｐの折り曲げ工程の最初または途中で、左右立壁１３Ｃ、１３Ｄの上壁１３Ｃ３、１３Ｄ３に対して、図４の紙面側へ折り線Ｌ９にて略直角に折り曲げられる状態である。このため、図５に示すように、上記のように折り曲げによって左右立壁１３Ｃ、１３Ｄが形成された状態で、フラップ（または舌片）１３Ｚは、左右立壁１３Ｃ、１３Ｄの上壁１３Ｃ３、１３Ｄ３の中間部から電気部品ユニット支持スリット１３Ｑの奥側部分、即ち、空間ＰＰ内へ垂下する。
【００５０】
また、補強底壁１３Ｃ５、１３Ｄ５の部分には、図４に示すように、各電気部品ユニット支持スリット１３Ｑに対応した位置に、電気部品ユニット支持スリット１３Ｑの前後方向幅Ｍと同等または若干小さい前後方向幅Ｍ１を有する前後方向に長い矩形状孔１３Ｓが形成されている。このため、上記のように折り曲げによって左右立壁１３Ｃ、１３Ｄ、及び下壁１３Ｃ４、１３Ｄ４、及び補強底壁１３Ｃ５、１３Ｄ５の形成、更には補強底壁１３Ｃ６、１３Ｄ６が形成されることによって、電気部品ユニット支持スリット１３Ｑの底部に矩形状孔１３Ｓが位置する状態となる。
【００５１】
このような構成によって、図５に示すように主仕切り体１３の基体１３Ｋが形成される。この基体１３Ｋにおける左右立壁１３Ｃ、１３Ｄの区画壁支持スリット１６部分の縦断面構成は、図６に示している。また、この基体１３Ｋにおける左右立壁１３Ｃ、１３Ｄの電気部品ユニット支持スリット１３Ｑ部分の縦断面構成は、図７に示している。
【００５２】
一方、区画壁１３Ｆは、図８（イ）に示すように、左右方向の長さが左右立壁１３Ｃ、１３Ｄに係止されるように、左右立壁１３Ｃ、１３Ｄに亘る左右方向の長さを有しており、区画壁１３Ｆの下端は、その左右両端部に、それぞれ補強底壁１３Ｃ５、１３Ｄ５の上に重なる補強底壁１３Ｃ６、１３Ｄ６の上面及び下壁１３Ｃ４、１３Ｄ４にそれぞれ当接する脚部１３Ｆ２を形成し、この左右の脚部１３Ｆ２間が底壁１３Ｅに当接する保持部１３Ｆ１を形成している。脚部１３Ｆ２には、下端から所定長さＴ２でもって係合スリット１７Ｘが形成され、この係合スリット１７Ｘの外側に係合フラップ１８Ｆが形成される。
【００５３】
後述のように区画壁１３Ｆを基体１３Ｋに取り付けたとき、区画壁１３Ｆの下端の保持部１３Ｆ１及び脚部１３Ｆ２が、それぞれ基体１３Ｋの底壁１３Ｅ及び補強底壁１３Ｃ６、１３Ｄ６に当接して、基体１３Ｋに対して区画壁１３Ｆ２が安定になるようにするために、この係合スリット１７Ｘの長さＴ２は、区画壁支持スリット１６が左右立壁１３Ｃ、１３Ｄの内側壁の中間部で終わる下端部と基体１３Ｋの補強底壁１３Ｃ６、１３Ｄ６までの長さＴ２と略同じにしている。
【００５４】
このような構成において、基体１３Ｋに対し区画壁１３Ｆを取り付けることにより、図８（ハ）に示すように主仕切り体１３が形成される。図８に示すように基体１３Ｋに対する区画壁１３Ｆの取り付け順序は、基体１３Ｋの左右立壁１３Ｃ、１３Ｄの上面に開口した区画壁支持スリット１６の部分へ区画壁１３Ｆの係合フラップ１８Ｆを対応させた状態で、係合スリット１７Ｘと区画壁支持スリット１６が嵌合するように区画壁１３Ｆを基体１３Ｋに対し押し込む。これによって係合フラップ１８Ｆが左右立壁１３Ｃ、１３Ｄ内の空間ＰＰへ進入しつつ、区画壁１３Ｆの下端の保持部１３Ｆ１が基体１３Ｋの底壁１３Ｅに当接し、且つ、左右の脚部１３Ｆ２が補強底壁１３Ｃ６、１３Ｄ６に当接する。この状態で、係合フラップ１８Ｆの下端が下壁１３Ｃ４、１３Ｄ４に当接する。
【００５５】
この状態で、区画壁１３Ｆの上端が左右立壁１３Ｃ、１３Ｄの上面の高さ以下の高さ（好ましくは、区画壁１３Ｆの上端が左右立壁１３Ｃ、１３Ｄの上面と同等またはそれよりも若干低い高さ）となる。これによって基体１３Ｋに対して区画壁１３Ｆが安定した組み合わせ状態となり、前後立壁１３Ａ、１３Ｂと左右立壁１３Ｃ、１３Ｄとの間に、前後方向に略等間隔の収容室１１が形成された主仕切り体１３が形成される。
【００５６】
なお、区画壁支持スリット１６への区画壁１３Ｆの挿入をし易くし、且つ、挿入した状態を安定保持するために、各区画壁支持スリット１６は、左右立壁１３Ｃ、１３Ｄの上壁１３Ｃ３、１３Ｄ３に位置する挿入開口幅（折り線Ｌ３、Ｌ４間に形成された部分の前後方向の挿入開口幅）は、左右立壁１３Ｃ、１３Ｄの内側壁１３Ｃ２、１３Ｄ２に形成した前後方向の挿入開口幅よりも広く形成している。
【００５７】
このように形成された主仕切り体１３には、重ね合わせ状態の二つの包装電気部品ユニット１Ａの取り付けフランジ６を含む外装ケース５の左右両端部が、電気部品ユニット支持スリット１３Ｑへ上方からフラップ（または舌片）１３Ｚに沿う状態で挿入され、収容室１１ごとに重ね合わせ状態の二つの包装電気部品ユニット１Ａが立った収容状態となる。この状態を図９に示す。この状態で、外装ケース５の左右両端部の下方へ延びた係止片６Ａが矩形状孔１３Ｓに進入し、且つ、重ね合わせた状態の二つの包装電気部品ユニット１Ａの左右両端部の下部となる下フランジ５Ｃが、補強底壁１３Ｃ６、１３Ｄ６に載る状態で安定保持される。このため、矩形状孔１３Ｓは、係止片６Ａが電気部品ユニット支持スリット１３Ｑの底部に当接しないための逃がし孔として機能する。
【００５８】
重ね合わせた状態の二つの包装電気部品ユニット１Ａが収容室１１ごとに収容保持された状態で、重ね合わせた状態の二つの包装電気部品ユニット１Ａの外装ケース５の上面となる上フランジ５Ｂは、左右立壁１３Ｃ、１３Ｄの上壁１３Ｃ３、１３Ｄ３から上方へ突出しない状態である。但し、図示の形態では、左右端部の取り付けフランジ６の上端は、左右立壁１３Ｃ、１３Ｄの上壁１３Ｃ３、１３Ｄ３から若干上方へ突出する状態である。
【００５９】
このように重ね合わせた状態の二つの包装電気部品ユニット１Ａが収容室１１ごとに収容保持された状態において、重ね合わせた状態の二つの包装電気部品ユニット１Ａの取り付けフランジ６を含む外装ケース５の左右両端部が、左右立壁１３Ｃ、１３Ｄのフラップ（または舌片という）１３Ｚに当接または近接した状態となるため、重ね合わせた状態の二つの包装電気部品ユニット１Ａが、左右方向への移動が抑制される。
【００６０】
もし、運搬される際に振動を受けて、重ね合わせた状態の二つの包装電気部品ユニット１Ａの左右両端部が、左右立壁１３Ｃ、１３Ｄの上壁１３Ｃ３または１３Ｄ３の下側へ潜り込むこととなれば、開梱して包装電気部品ユニット１Ａを収容室１１から上方へ取り出すとき、上壁１３Ｃ３または１３Ｄ３によってその取出しが阻止されるため、包装電気部品ユニット１Ａを収容室１１内で左右に動かしてこの阻止が外れる状態において、包装電気部品ユニット１Ａを収容室１１から上方へ取り出すことになり、取り出し作業に手間取ることとなる。
【００６１】
図示の形態では、左右端部の取り付けフランジ６の上端が左右立壁１３Ｃ、１３Ｄの上壁１３Ｃ３、１３Ｄ３から若干上方へ突出する状態であるが、フランジ６の上端が左右立壁１３Ｃ、１３Ｄの上壁１３Ｃ３、１３Ｄ３から上方へ突出しない形態とすることもでき、また、係止片６Ａも外装ケース５の左右両端部の下方へ突出しない形態とすることもできる。取り付けフランジ６の上方への突出が少ない形態の場合や、突出しない形態の場合、運搬される際に振動を受けることにより、重ね合わせた状態の二つの包装電気部品ユニット１Ａの左右両端部が、左右立壁１３Ｃ、１３Ｄの上壁１３Ｃ３または１３Ｄ３の下側へ潜り込み易くなる。
【００６２】
しかし、本発明では、重ね合わせた状態の二つの包装電気部品ユニット１Ａの左右両端部が、フラップ（または舌片という）１３Ｚによって、左右立壁１３Ｃ、１３Ｄの上壁１３Ｃ３または１３Ｄ３の下側へ潜り込むことが防止されるため、このような問題はなく、開梱して包装電気部品ユニット１Ａを収容室１１から上方へスムースに取り出すことができるものとなる。
【００６３】
外箱１２内に主仕切り体１３を収容する梱包の順序を図１０に基づき説明する。上記のように重ね合わせた状態の二つの包装電気部品ユニット１Ａが収容室１１に収容保持された状態の主仕切り体１３は、その一つが上面開口１２Ｐから外箱１２内に収容される。または、包装電気部品ユニット１Ａを収容室１１に収容保持する前に、空の主仕切り体１３の一つを上面開口１２Ｐから外箱１２に収容し、この空の主仕切り体１３の収容室１１に、重ね合わせた状態の二つの包装電気部品ユニット１Ａを収容保持するようにしてもよい。
【００６４】
先ず、包装電気部品ユニット１Ａが収容室１１に収容保持された状態または空の主仕切り体１３を外箱１２内に収容する。この収容された最下段の主仕切り体１３は、その平坦状の底壁１３Ｅが外箱１２の平坦状の内底面１０Ｅに載置される。この最下段の主仕切り体１３は収容室１１に包装電気部品ユニット１Ａを収容保持した状態とし、その上に、平板状の段ボール製の仕切り板２０を載せる。仕切り板２０の大きさは、主仕切り体１３の平面積と同等または略同じであるため、最下段の主仕切り体１３に収容された包装電気部品ユニット１Ａの全体が仕切り板２０によって覆われる。
【００６５】
この場合、仕切り板２０には、中間部に前後方向に並行な矩形状の窓２０Ａが形成され、その窓２０Ａの外側の左右端部寄りに、前後方向に一列に並ぶ矩形状の孔２０Ｂが形成されている。各孔２０Ｂは各電気部品ユニット支持スリット１３Ｑに一対一で対応するように、孔２０Ｂのピッチは電気部品ユニット支持スリット１３ＱのピッチＨ１と同等である。また、左右の窓２０Ａは、前後２箇所に連結部２０Ｃを残して他の周囲が切り込みによって切り抜かれた状態で、連結部２０Ｃをヒンジ部としてその切抜き部分２０Ｄを裏側（下側）へ折り曲げ重ね合わせた二重壁になっており、孔２０Ｂは、この二重壁部分を貫通して形成されている。
【００６６】
上記のように、重ね合わせた状態の二つの包装電気部品ユニット１Ａが収容室１１ごとに収容保持された状態で、包装電気部品ユニット１Ａの外装ケース５の上面となる上フランジ５Ｂは、左右立壁１３Ｃ、１３Ｄの上壁１３Ｃ３、１３Ｄ３から上方へ突出しない状態であるが、左右端部の取り付けフランジ６の上端は、左右立壁１３Ｃ、１３Ｄの上壁１３Ｃ３、１３Ｄ３から若干上方へ突出する状態であるため、最下段の主仕切り体１３の上面に仕切り板２０を載せた状態で、重ね合わせた状態の二つの包装電気部品ユニット１Ａのそれぞれの取り付けフランジ６の上端部は、孔２０Ｂに進入する。この状態で取り付けフランジ６の上端は仕切り板２０から上方へ突出しない状態となる。
【００６７】
このように最下段の主仕切り体１３の上面に仕切り板２０を載せた後、次の主仕切り体１３をこの仕切り板２０の上に載せ、上記同様に、更にこの仕切り板２０の上に次の主仕切り体１３を載せる。このような関係によって、仕切り板２０を介して複数段に主仕切り体１３が積層され、最上段の主仕切り体１３の上面が仕切り板２０で覆われた状態となる。実施例の図３及び図１０では、主仕切り体１３が二段積層される構成を示している。
【００６８】
このように外箱１２内に積み重ねられた各主仕切り体１３は、その前後立壁１３Ａ、１３Ｂが外箱１２の前後壁１２Ａ、１２Ｂの内側面に若干の間隔を存して対峙する状態で沿い、左右立壁１３Ｃ、１３Ｄが外箱１２の左右側壁１２Ｃ、１２Ｄの内側面に略当接する状態で沿うように、外箱１２内に収容される。仕切り板２０を介して外箱１２内に所定段数積層された積層高さは、最上段の主仕切り体１３の上面を覆う仕切り板２０の厚さを含めて、略外箱１２の内側の高さ（深さ）である。このため、図３及び図１０に示すように、２段重ねの場合は、その積層高さと外箱１２の内側高さ（深さ）が略同じ構成である。このように、複数段重ねの主仕切り体１３が外箱１２内に収容された状態で、外箱１２の上面開口１２Ｐを前後左右の開閉蓋１０Ａ〜１０Ｄによって塞ぎ、必要に応じて開閉蓋１０Ａ〜１０Ｄをテープ止めすることにより、所期の包装が完成する。
【００６９】
なお、左右立壁１３Ｃ、１３Ｄの高さを高くして、左右端部の取り付けフランジ６の上端が左右立壁１３Ｃ、１３Ｄの上壁１３Ｃ３、１３Ｄ３から上方へ突出しないようにする場合は、仕切り板２０は省略することもできる。
【００７０】
上記の実施態様では、重ね合わせた状態の二つの包装電気部品ユニット１Ａが、収容室１１ごとに電気部品ユニット支持スリット１３Ｑに収容保持されるものであるが、これに替わって、一つの包装電気部品ユニット１Ａが、収容室１１ごとに電気部品ユニット支持スリット１３Ｑに上方から挿入され、収容室１１ごとにこの一つの包装電気部品ユニット１Ａが立った収容状態となる態様でもよい。その場合の電気部品ユニット支持スリット１３Ｑの幅Ｍは、一つの包装電気部品ユニット１Ａの取り付けフランジ６を含む外装ケース５の左右両端部の厚さと同等、またはその厚さよりも若干大きい幅である。この場合も、主仕切り体１３への一つの包装電気部品ユニット１Ａの収容、仕切り板２０との関係、更には外箱１２内への主仕切り体１３の積層については上記同様である。
【００７１】
また、保護袋７に収容されない状態の１個の電気部品ユニット１、または保護袋７に収容されない状態の二つの電気部品ユニット１をその表側が重なり合う状態に組み合わせた一対が、収容室１１ごとに電気部品ユニット支持スリット１３Ｑに上方から挿入され、収容室１１ごとにこの１個の電気部品ユニット１または組み合わせた一対の電気部品ユニット１が立った収容状態となる態様でもよい。この場合、１個の電気部品ユニット１がそれぞれ収容室１１ごとに電気部品ユニット支持スリット１３Ｑに立った収容状態で保持される態様では、電気部品ユニット支持スリット１３Ｑの幅Ｍは、一つの電気部品ユニット１の取り付けフランジ６を含む外装ケース５の左右両端部の厚さと同等、またはその厚さよりも若干大きい幅である。また、二つの電気部品ユニット１が重なり合う状態に組み合わせた一対が、収容室１１ごとに電気部品ユニット支持スリット１３Ｑに立った収容状態で保持される態様では、二つの電気部品ユニット１の取り付けフランジ６を含む外装ケース５の左右両端部の厚さと同等、またはその厚さよりも若干大きい幅である。このいずれの場合も、主仕切り体１３への電気部品ユニット１の収容、仕切り板２０との関係、更には外箱１２内への主仕切り体１３の積層については、上記包装電気部品ユニット１Ａの場合と同様である。
【００７２】
上記実施形態において、主仕切り体１３は、段ボールの折り曲げにて前後立壁１３Ａ、１３Ｂを一体形成しているため、左右立壁１３Ｃ、１３Ｄと前後立壁１３Ａ、１３Ｂとが、４隅の部分でスリット１３Ｘ及び１３Ｙが嵌合し合うことによって、主仕切り体１３の周囲の強度が確保され、主仕切り体１３を所期の強度に保つことができる点で好ましい。しかし、初期の強度確保ができれば、この前後立壁１３Ａ、１３Ｂの替わりに、区画壁１３Ｆによって前後立壁を形成する構成とすることも可能である。
【産業上の利用可能性】
【００７３】
本発明は、電気回路部品が取り付けられたプリント配線基板が保護ケースに収容された電気部品ユニットの梱包装置として、上記実施例に示した図示の形態に限らず、本発明の技術範囲において、種々の構成を包含するものである。
【符号の説明】
【００７４】
１・・・・・電気部品ユニット
１Ａ・・・・包装電気部品ユニット
２・・・・・プリント配線基板
３・・・・・発光表示部
４Ａ、４Ｂ・・・・リレー
５・・・・・外装ケース
６・・・・・取り付けフランジ
７・・・・・保護袋
１０・・・・包装装置
１０Ａ〜１０Ｄ・・・外箱の開閉蓋
１０Ｅ・・・外箱の内底面
１１・・・・収容室
１２・・・・外箱
１２Ａ、１２Ｂ・・・外箱の前後壁
１２Ｃ、１２Ｄ・・・外箱の左右側壁
１３・・・・主仕切り体
１３Ａ、１３Ｂ・・・前後立壁
１３Ｃ、１３Ｄ・・・左右立壁
１３Ｅ・・・底壁
１３Ｆ・・・区画壁
１３Ｋ・・・基体
１３Ｐ・・・段ボール板
１３Ｑ・・・電気部品ユニット支持スリット
１３Ｘ、１３Ｙ・・・スリット
１３Ｚ・・・フラップ（または舌片という）
１６・・・・区画壁支持スリット
１７Ｘ・・・係合スリット
２０・・・・平板状の仕切り板
【図１】
2013018531.tif 000003
【図２】
2013018531.tif 000004
【図３】
2013018531.tif 000005
【図４】
2013018531.tif 000006
【図５】
2013018531.tif 000007
【図６】
2013018531.tif 000008
【図７】
2013018531.tif 000009
【図８】
2013018531.tif 000010
【図９】
2013018531.tif 000011
【図１０】
2013018531.tif 000012